(57)【要約】【課題】手帳類などに貼付するラベルと特定の画像などのオブジェクトを結び付けるコード情報を表記することに適した情報表示ラベルシートを提案する。【解決手段】シート本体２の表面に複数の情報表示ラベル４を配置しており、各情報表示ラベル４は、略長方形状であり、当該長方形の一側部を、肉眼で読み取ることが可能な、文字・マーク・色彩の何れか或いはこれらの組み合わせで構成される情報を表示する、一個の対人用情報表示部６とするとともに、当該長方形の残りの部分を、情報読み取り機械で読み取るための単一のコード情報を記載した、一個の対機械用情報表示部８として相互に視覚的に区画した情報表示ラベルシートである。情報表示ラベル４の対機械用情報表示部８のコード情報は、互いに異なるものとし、各情報表示ラベル４毎に、その対機械用情報表示部８の面積を、対人用情報表示部６の面積より大とした。【選択図】図１
2014164209.tif 000002
【特許請求の範囲】
【請求項１】
シート本体(２)の表面に複数の情報表示ラベル(４)を配置しており、
各情報表示ラベル(４)は、略長方形状であり、
当該長方形の一側部を、肉眼で読み取ることが可能な、文字・マーク・色彩の何れか或いはこれらの組み合わせで構成される情報を表示する、一個の対人用情報表示部(６)とするとともに、
当該長方形の残りの部分を、情報読み取り機械で読み取るための単一のコード情報を記載した、一個の対機械用情報表示部(８)として相互に視覚的に区画した情報表示ラベルシートであって、
対人用情報表示部(６)と対機械用情報表示部(８)は相互に視覚的に区別できるように区分されており、
各情報表示ラベル(４)の対機械用情報表示部(８)のコード情報は、他のいずれの情報表示ラベル(４)の対機械用情報表示部(８)のコード情報とも異なるものとし、
さらに各情報表示ラベル(４)毎に、その対機械用情報表示部(８)の面積を、対人用情報表示部(６)の面積より大としたことを特徴とする、情報表示ラベルシート。
【請求項２】
上記複数の情報表示ラベル(４)を予めシート本体(２)と別体として形成するとともに、各情報表示ラベル(４)の裏面の全部又は一部をラシート本体(２)の表面にそれぞれ剥離可能に貼付してなり、各情報表示ラベル(４)を剥離して情報表示ラベルとして使用することが可能としたことを特徴とする、請求項１記載の情報表示ラベルシート。
【請求項３】
上記情報表示ラベル(４)をシート本体(２)の表面に印刷の裏面のうち対機械用情報表示部８の裏側にのみ剥離可能な粘着層(４ｂ)を形成し、対人用情報表示部(６)は、その裏面に粘着剤を有しない摘み部としたことを特徴とする、請求項２記載の情報表示ラベルシート。
【請求項４】
上記情報表示ラベル(４)をシート本体(２)の表面に印刷し、各情報表示ラベル(４)をシート本体(２)の残りの部分から切り離して、情報表示ラベルとして使用することが可能に形成したことを特徴とする、請求項１記載の情報表示ラベルシート。
【請求項５】
上記コード情報をＱＲコードとしたことを特徴とする、請求項１から請求項４の何れかに記載の情報表示ラベルシート。
【発明の詳細な説明】
【技術分野】
【０００１】
本発明は、情報表示用ラベルシート、特に対人用情報表示部と対機械用情報表示部とを双方含むラベルのシートに関する。
【背景技術】
【０００２】
例えば一枚のラベルの表面の一部にバーコード読取り機で読み取るためのバーコードを記載し、残りの広い部分に一連の数字及びアルファベットで形成する管理番号及び商品名を描いた、商品貼付用のラベルが知られている（特許文献１）。
【先行技術文献】
【特許文献】
【０００３】
【特許文献１】特開２００９−９６１１１
【発明の概要】
【発明が解決しようとする課題】
【０００４】
特許文献１のラベルは、商品の管理という用途に用いるものであるが、近年、文房具の分野では、こうした商業的な用途とは別に、新しいさまざまな用途を開発し、新商品を需要者に提供していこうという機運が高まっている。
【０００５】
出願人は、特に最近インターネット通信・カメラ・携帯電話・小型パソコンなどの機能を兼ね備えた携帯機械、例えば“スマートフォン”（登録商標）が広く利用されていることに着目して、上記機械と関係付けたラベルの使用方法を想起した。
【０００６】
一般に携帯機械の使い方として、そのカメラ機能を使用して写真を取り、写真のイメージを画像文書としてメモリーに登録し、多数の画像をミニチュアサイズのもの（サムネイル画像）として画面一覧に表示させ、必要により画面をスクロールして見たい画像を探し、選択して画面一杯に拡大するということが行われている。
【０００７】
ところが画面をスクロールして画像を探すという機能は便利であるが、登録した画像の数が多いと探すのに手間がかかる場合がある。特に旅行先で撮った写真や趣味でとった写真などは、仕事で使う資料などと違って整理に時間をかけられないという人が少なくない。
【０００８】
例えば日記に旅行のことを書いているときに、文章と同時に旅行先でとった写真を見て楽しめればよいと思うことがあるが、上記携帯機械から写真の画像を取り出してプリンタで出力するのは面倒であり、また日記の紙面に写真を貼ると、文章を書くスペースが狭くなってしまうという問題がある。
【０００９】
出願人が提案するラベルの使用方法は、日記などの手帳類に写真の代わりに、その写真の所在を特定するコード情報を記載したラベルを貼付し、そのコード情報を上記携帯機械で読み取り、そのコード情報をもとに機械の画面に表示できるようにするものである。
【００１０】
本発明の目的は、手帳類などに貼付するラベルと特定の画像などのオブジェクトを結び付けるコード情報を表記することに適した情報表示ラベルシートを提案することである。
【課題を解決するための手段】
【００１１】
第１の手段は、
シート本体２の表面に複数の情報表示ラベル４を配置しており、
各情報表示ラベル４は、略長方形状であり、
当該長方形の一側部を、肉眼で読み取ることが可能な、文字・マーク・色彩の何れか或いはこれらの組み合わせで構成される情報を表示する、一個の対人用情報表示部６とするとともに、
当該長方形の残りの部分を、情報読み取り機械で読み取るための単一のコード情報を記載した、一個の対機械用情報表示部８として相互に視覚的に区画した情報表示ラベルシートであって、
対人用情報表示部６と対機械用情報表示部８は相互に視覚的に区別できるように区分されており、
各情報表示ラベル４の対機械用情報表示部８のコード情報は、他のいずれの情報表示ラベル４の対機械用情報表示部８のコード情報とも異なるものとし、
さらに各情報表示ラベル４毎に、その対機械用情報表示部８の面積を、対人用情報表示部６の面積より大とした。
【００１２】
第２の手段は、第１の手段を有し、かつ
上記複数の情報表示ラベル４を予めシート本体２と別体として形成するとともに、各情報表示ラベル４の裏面の全部又は一部をシート本体２の表面にそれぞれ剥離可能に貼付してなり、各情報表示ラベル４を剥離して情報表示ラベルとして使用することが可能とした。
【００１３】
第３の手段は、第２の手段を有し、かつ
上記情報表示ラベル４をシート本体２の表面に印刷の裏面のうち対機械用情報表示部８の裏側にのみ剥離可能な粘着層４ｂを形成し、対人用情報表示部６は、その裏面に粘着剤を有しない摘み部とした。
【００１４】
第４の手段は、第１の手段から第３の手段のいずれかを有し、かつ
上記コード情報をＱＲコードとした。
【発明の効果】
【００１５】
第１の手段に係る発明によれば、一枚のシートに記載された各情報表示ラベル４が含む対機械用情報のコード情報は相互に異なるものであるから、手帳類に貼付された一個の情報表示ラベルを、一個又は複数の特定の画像（写真など）に結び付けることができ、手帳類への貼付用のラベルの用途として全く新規なものを提案できる。
また第１の手段に係る発明によれば、情報表示ラベル４の中に単一のコード情報を含む一個の対機械用情報表示部８と一個の対人用情報表示部６とを組み込んだ独特の形態としたから、一見して上記用途に利用するラベルシートであること、ラベルシートの各対機械用情報のコード表示が相互に異なるものであることが保証されていることを、需要者が認識することができる。
さらに第１の手段に係る発明によれば、各情報表示ラベル４毎に、その対機械用情報表示部８の面積を、対人用情報表示部６の面積より大としたから、対機械用情報表示部８に記載されたコード情報が相互に異なるものとするという設計条件を実現する上で有利である。
第２の手段に係る発明によれば、情報表示ラベル４をシート本体２と別体にしたから、使い勝手がよい。
第３の手段に係る発明によれば、対人用情報表示部６を、裏面に粘着剤を有しない摘み部としたから、使い勝手がよい。
【図面の簡単な説明】
【００１６】
【図１】本発明の実施形態に係る情報表示ラベルシートの正面図である。
【図２】図１の情報表示ラベルシートの側面図である。
【図３】図１の情報表示ラベルシートから情報表示ラベル４を剥がす様子を示す説明図である。
【図４】図１の情報表示ラベルシートを用いた好適な使用例の説明図である。
【発明を実施するための最良の形態】
【００１７】
図１から図４は、本発明の実施形態に係る情報表示ラベルシート１を示している。この情報表示ラベルシート１は、シート本体２と、このシート本体２の上に貼付した情報表示ラベル４とで形成している。
【００１８】
シート本体２は、例えば合成樹脂や紙（離型シート・剥離紙を含む）などで形成することができる。シート本体２は可撓性材料で形成することができる。
【００１９】
情報表示ラベル４は、図２に示す如く基層４a及び基層４aの裏面の一部に形成した粘着層４ｂとで形成している。もっとも粘着層４ｂは基層４ｂの裏面全体に形成しても構わない。
【００２０】
情報表示ラベル４は、正面方向から見て略長方形状である。その長方形の一側部の表面に対人用情報表示部６とし、残りの部分を対機械用情報表示部８としている。
【００２１】
対人用情報表示部６には、文字・記号・色彩の何れか一つ又はその組み合わせにより人が認識可能な情報を表示する。情報の内容に制限はなく、各情報表示ラベル４の対人用情報表示部６の内容は同じでも異なっていてもよい。図示例では、一つのラベルシートに複数行・複数列に亘って情報表示ラベル２を設け、同一行（又は同一列）の情報表示ラベル２同士では、対人用情報表示部６の内容が同じであり、別の行（又は列）の情報表示ラベル２同士では対人用表示部６の内容が異なるようにしている。これにより、一つのテーマに関して同じ対人用情報表示部６を有する情報表示ラベル２を選択することができる。
【００２２】
対機械用情報表示部８には、機械で読み取り可能な情報、特にＱＲコードなどの２次元情報を表記する。対機械用情報表示部８は、地色または仕切り線により、視覚的に対人用情報表示部６から区別するものとする。
【００２３】
さらに対機械用情報表示部８の面積は、対人用情報表示部６の面積よりも大とする。
【００２４】
図４は、本発明のラベルシートの使用例を描いている。
図４（Ａ）に示すように、ラベルシートから一つの情報表示ラベル４を剥離して手帳類の紙面に貼付する。
図４（Ｂ）に示すように、情報表示ラベル４を携帯機械Ａで撮影して、そのＱＲコードを登録し、所望の画像（好ましくはその紙面に関係するもの）に関連付ける。
図４（Ｃ）に示すように、コード情報の登録後に同じ携帯機械Ａでそのコード情報を有する情報表示ラベル４を撮影すると、図４（Ｄ）の如く画面上に関連する画像を呼び出すことができる。
【００２５】
なお、上記の実施形態では上記情報表示ラベル４をシート本体２に貼付したものとしたが、シート本体２の表面に印刷しても構わない。シート本体２の該当箇所を鋏などで切りぬいてラベルとして使用することができる。正面から見た形態は図１と同じであるから図示を省略する。
【符号の説明】
【００２６】
２…シート本体  ４…情報表示ラベル  ４ａ…基層  ４ｂ…粘着層
６…対人用情報表示部  ８…対機械用情報表示部  
【図１】
2014164209.tif 000003
【図２】
2014164209.tif 000004
【図３】
2014164209.tif 000005
【図４】
2014164209.tif 000006
【手続補正書】
【提出日】平成25年2月27日(2013.2.27)
【手続補正１】
【補正対象書類名】特許請求の範囲
【補正対象項目名】請求項２
【補正方法】変更
【補正の内容】
【請求項２】
上記複数の情報表示ラベル(４)を予めシート本体(２)と別体として形成するとともに、各情報表示ラベル(４)の裏面の全部又は一部をシート本体(２)の表面にそれぞれ剥離可能に貼付してなり、各情報表示ラベル(４)を剥離して情報表示ラベルとして使用することが可能としたことを特徴とする、請求項１記載の情報表示ラベルシート。